(57)【要約】【課題】簡単な回路構成としながら、補助バッテリの電力を効率よく携帯電話機に供給する。内蔵電池パックに悪い影響を与えることなく使用時間を延長する。モデム等の外部機器を使用しながら、補助バッテリで電力を供給する。【解決手段】携帯電話機は、電話機本体１０と、電話機本体１０に脱着できるように装着されて電話機本体１０に電力を供給する内蔵バッテリ２１を有する内蔵電池パック２０とを備える。内蔵電池パック２０は、電話機本体１０の電源端子１４に電気接続される出力端子２２に加えて、ケース２７の外部に表出してサブ接続端子２３を備える。サブ接続端子２３は、外部から供給される電力で内蔵バッテリ２１を充電することなく出力端子２２に供給する非充電回路を介して出力端子２２に接続している。携帯電話機は、サブ接続端子２３に供給される電力を、非充電回路と出力端子２２を介して電話機本体１０に電力を供給する。【選択図】図６
2006340114.tif 000002
【特許請求の範囲】
【請求項１】
電話機本体(10)と、この電話機本体(10)に脱着できるように装着されて電話機本体(10)に電力を供給する内蔵バッテリ(21)を有する内蔵電池パック(20)とを備える携帯電話機において、
内蔵電池パック(20)が、電話機本体(10)の電源端子(14)に電気接続される出力端子(22)に加えて、ケース(27)の外部に表出してサブ接続端子(23)を備え、このサブ接続端子(23)は外部から供給される電力で内蔵バッテリ(21)を充電することなく出力端子(22)に供給する非充電回路を介して出力端子(22)に接続しており、
サブ接続端子(23)に電力を供給し、この電力を非充電回路と出力端子(22)を介して電話機本体(10)に電力を供給するようにしてなる携帯電話機。
【請求項２】
電話機本体(10)と、この電話機本体(10)に脱着できるように装着されて電話機本体(10)に電力を供給する内蔵バッテリ(21)を備える内蔵電池パック(20)と、電話機本体(10)に電力を供給する補助バッテリ(31)を内蔵する補助電源(30)とを備え、
内蔵電池パック(20)が、電話機本体(10)の電源端子(14)に電気接続される出力端子(22)に加えて、ケース(27)の外部に表出するサブ接続端子(23)を備え、このサブ接続端子(23)は補助電源(30)から供給される電力で内蔵バッテリ(21)を充電することなく出力端子(22)に供給する非充電回路を介して出力端子(22)に接続しており、
補助電源(30)は内蔵電池パック(20)のサブ接続端子(23)に脱着できるように接続されるコネクター(34)を備えており、補助電源(30)をコネクター(34)とサブ接続端子(23)を介して内蔵電池パック(20)に接続し、補助電源(30)の補助バッテリ(31)が内蔵電池パック(20)のサブ接続端子(23)と非充電回路と出力端子(22)を介して、内蔵バッテリ(21)を充電することなく電話機本体(10)に電力を供給するようにしてなる携帯電話機。
【請求項３】
非充電回路が、内蔵バッテリ(21)を出力端子(22)に接続している第１ダイオード(26A)と、サブ接続端子(23)を出力端子(22)に接続している第２ダイオード(26B)とを備えており、第１ダイオード(26A)は内蔵バッテリ(21)から出力端子(22)に電力を供給できる方向に接続され、第２ダイオード(26B)はサブ接続端子(23)から出力端子(22)に電力を供給できる方向に接続され、内蔵バッテリ(21)とサブ接続端子(23)から供給される電力がダイオード(26)を介して電話機本体(10)に供給されるようにしてなる請求項１または２に記載される携帯電話機。
【請求項４】
電話機本体(10)が、内蔵電池パック(20)を充電する外部充電端子(12)を備えており、
補助電源(30)は二次電池の補助バッテリ(31)の充電をコントロールする充電制御回路(33)を備えており、充電制御回路(33)はコネクター(34)とサブ接続端子(23)を介して内蔵電池パック(20)に接続され、さらに内蔵電池パック(20)の出力端子(22)と電話機本体(10)の電源端子(14)とを介して外部充電端子(12)に接続され、外部充電端子(12)に接続される外部電源を介して補助電源(30)の二次電池を充電するようにしてなる請求項２に記載される携帯電話機。
【請求項５】
内蔵電池パック(20)が、内蔵バッテリ(21)と補助バッテリ(31)の充電を切り換えるコントロール回路(24)を内蔵している請求項４に記載される携帯電話機。
【請求項６】
電話機本体(10)と、この電話機本体(10)に脱着できるように装着されて電話機本体(10)に電力を供給する内蔵バッテリ(21)を有する内蔵電池パック(20)とを備える携帯電話機において、
電話機本体(10)が、ケース(11)の外部に表出して、外部から電話機本体(10)に電力を供給するサブ電源端子(19)を備えており、
内蔵電池パック(20)または電話機本体(10)が、サブ電源端子(19)から電話機本体(10)に供給される電力で内蔵バッテリ(21)が充電されるのを阻止する非充電回路を備えており、
サブ電源端子(19)に電力を供給し、この電力で内蔵バッテリ(21)を充電することなく電話機本体(10)に電力を供給するようにしてなる携帯電話機。
【請求項７】
電話機本体(10)と、この電話機本体(10)に脱着できるように装着されて電話機本体(10)に電力を供給する内蔵バッテリ(21)を備える内蔵電池パック(20)と、電話機本体(10)に電力を供給する補助バッテリ(31)を内蔵する補助電源(30)とを備え、
電話機本体(10)が、ケース(11)の外部に表出して、補助電源(30)から電話機本体(10)に電力を供給するサブ電源端子(19)を備えており、
内蔵電池パック(20)または電話機本体(10)が、サブ電源端子(19)から電話機本体(10)に供給される電力で内蔵バッテリ(21)が充電されるのを阻止する非充電回路を備えており、
補助電源(30)は電話機本体(10)のサブ電源端子(19)に脱着できるように接続されるコネクター(34)を備えており、補助電源(30)をコネクター(34)とサブ電源端子(19)を介して電話機本体(10)に接続し、補助電源(30)の補助バッテリ(31)が内蔵バッテリ(21)を充電することなく電話機本体(10)に電力を供給するようにしてなる携帯電話機。
【請求項８】
非充電回路が、内蔵バッテリ(21)を出力端子(22)に接続している第１ダイオード(26A)と、補助バッテリ(31)をサブ出力端子(36)に接続している第２ダイオード(26B)とを備えており、第１ダイオード(26A)は内蔵バッテリ(21)から出力端子(22)に電力を供給できる方向に接続され、第２ダイオード(26B)は補助バッテリ(31)からサブ出力端子(36)に電力を供給できる方向に接続され、内蔵バッテリ(21)から供給される電力が第１ダイオード(26A)を介して電話機本体(10)に供給され、補助バッテリ(31)から供給される電力が第２ダイオード(26B)を介して電話機本体(10)に供給されるようにしてなる請求項２または７に記載される携帯電話機。
【請求項９】
電話機本体(10)が、内蔵電池パック(20)を充電する外部充電端子(12)を備えており、
補助電源(30)が、二次電池の補助バッテリ(31)を充電するサブ充電端子(37)を備えると共に、二次電池の補助バッテリ(31)の充電をコントロールする充電制御回路(33)を備えており、充電制御回路(33)がサブ充電端子(37)に接続される外部電源を介して補助電源(30)の二次電池を充電するようにしてなる請求項２または７に記載される携帯電話機。
【請求項１０】
電話機本体(10)が、内蔵電池パック(20)を充電する外部充電端子(12)を備えており、
補助電源(30)が、二次電池の補助バッテリ(31)を充電するサブ充電端子(37)を備えており、サブ充電端子(37)に接続される外部電源内に備えられた充電制御回路(53)を介して補助電源(30)の補助バッテリ(31)の充電をコントロールするようにしてなる請求項２または７に記載される携帯電話機。
【請求項１１】
補助電源(30)が、係止フック(35)を介して電話機本体(10)の背面に脱着できるように連結される請求項２または７に記載される携帯電話機。
【請求項１２】
電話機本体(10)に脱着できるように装着されて電話機本体(10)に電力を供給する内蔵バッテリ(21)を備える携帯電話機用の内蔵電池パックであって、
電話機本体(10)の電源端子(14)に電気接続される出力端子(22)に加えて、ケース(27)の外部に表出するサブ接続端子(23)を備えており、このサブ接続端子(23)は外部から供給される電力で内蔵バッテリ(21)を充電することなく出力端子(22)に供給する非充電回路を介して出力端子(22)に接続しており、
サブ接続端子(23)に外部から供給される電力を非充電回路と出力端子(22)を介して電話機本体(10)に供給するようにしてなる携帯電話機用の内蔵電池パック。
【請求項１３】
電話機本体(10)の背面に装着されて電話機本体(10)に電力を供給する内蔵電池パック(20)に、脱着できるように装着されて、電話機本体(10)に電力を供給する携帯電話機用の補助電源であって、
電話機本体(10)に電力を供給する補助バッテリ(31)を備えると共に、内蔵電池パック(20)の背面に設けているサブ接続端子(23)に機械的及び電気的に接続されるコネクター(34)を備えており、このコネクター(34)をサブ接続端子(23)に接続して、内蔵電池パック(20)を介して補助バッテリ(31)から電話機本体(10)に電力を供給するようにしてなる携帯電話機用の補助電源。
【請求項１４】
背面に装着している内蔵電池パック(20)から電力が供給される電話機本体(10)に脱着できるように装着されて、電話機本体(10)に電力を供給する携帯電話機用の補助電源であって、
電話機本体(10)に電力を供給する補助バッテリ(31)を備えると共に、電話機本体(10)の背面に設けているサブ電源端子(19)に機械的及び電気的に接続されるコネクター(34)を備えており、このコネクター(34)をサブ電源端子(19)に接続して、補助バッテリ(31)から電話機本体(10)に電力を供給するようにしてなる携帯電話機用の補助電源。
【発明の詳細な説明】
【技術分野】
【０００１】
本発明は、外部から電力を供給できる携帯電話機とこの携帯電話機に電力を供給する携帯電話機用の内蔵電池パック及び補助電源に関する。
【背景技術】
【０００２】
携帯電話は、電源に内蔵電池パックを内蔵する。内蔵電池パックはリチウムイオン二次電池等の二次電池である。携帯電話は、内蔵電池パックを完全に放電すると使用できなくなる。すなわち、内蔵電池パックの容量が使用できる時間を決定する。携帯電話を長い時間使用するための補助電源装置が開発されている。（特許文献１参照）
【特許文献１】実用新案登録第３０８５７４５号
【発明の開示】
【発明が解決しようとする課題】
【０００３】
この公報に記載される携帯電話機用補助バッテリー装置は、携帯電話機に電力を補助的に供給し、携帯電話機に設けられた内蔵電池パックに取り付けられる補助バッテリー本体と、補助バッテリー本体に電気的に接続され、かつ携帯電話機の外部充電端子に電気的に接続される接続部材とを有する。接続部材は、携帯電話機の外部充電端子に接触される板部材と、この板部材に設けられ、外部充電端子に接触される凸状の接点部とを有する。
【０００４】
この補助バッテリー装置は、携帯電話機の外部充電端子に接続される。外部充電端子は、内蔵電池パックを充電するための端子であるから、充電制御回路を介して内蔵電池パックに接続している。したがって、補助バッテリー装置は、充電制御回路を介して内蔵電池パックに並列に接続される。補助バッテリー装置を内蔵電池パックに並列に接続する回路構成は、補助バッテリとして、ニッケル水素電池やニッケルカドミウム電池を使用すると内蔵電池パックを効率よく充電できず、また乾電池を使用すると内蔵電池パックに悪い影響を与えることがある。補助バッテリは、単三タイプの二次電池や一次電池を使用して便利に使用できる。いつでもどこでも、簡単に入手できるからである。とくに、補助バッテリは、内蔵電池パックが放電されて充電できないときに便利に使用することから、いつでもどこでも購入できるものが便利に使用できる。単三タイプの二次電池として、ニッケル水素電池とニッケルカドミウム電池が市販されている。この二次電池の電圧は１．２Ｖである。携帯電話機は、内蔵電池パックのリチウムイオン二次電池が３．３Ｖに低下するまで使用する。したがって、３本のニッケル水素電池やニッケルカドミウム電池を直列に接続して、３．６Ｖの出力電圧として、リチウムイオン二次電池を充電できる。ただ、リチウムイオン二次電池の満充電電圧は、４．１〜４．２Ｖであるから、補助バッテリでリチウムイオン二次電池を満充電することはできない。さらに、補助バッテリのニッケル水素電池の電圧は、内蔵電池パックを充電するにしたがって低下する。ニッケル水素電池は、電圧が約１Ｖに低下するまで使用できる。ただ、ニッケル水素電池の電圧が１Ｖに低下すると、これを３個直列に接続している補助バッテリの出力電圧は３Ｖまで低下する。この電圧に低下すると、内蔵電池パックのリチウムイオン二次電池を充電することはできない。それは、携帯電話機の最低使用電圧が３．３Ｖで、この電圧よりも低くなると携帯電話機を使用できなくなるからである。したがって、補助バッテリにニッケル水素電池やニッケルカドミウム電池等の単三タイプの二次電池を使用すると、内蔵電池パックを有効に充電できなくなる。また、補助バッテリには、単三タイプの乾電池も使用できる。乾電池の電圧は１．５Ｖである。乾電池を３個直列に接続すると、補助バッテリの出力電圧は４．５Ｖとなって、内蔵電池パックであるリチウムイオン二次電池の満充電電圧よりも高くなる。このため、内蔵電池パックが満充電に近い状態で、補助バッテリを接続すると、内蔵電池パックのリチウムイオン二次電池が過充電されて著しく劣化する。したがって、携帯電話機の外部充電端子に補助バッテリー装置を接続して、補助バッテリと内蔵電池パックとを並列に接続する補助電源装置は、内蔵電池パックを理想的な状態で充電しながら、補助バッテリを有効に携帯電話機の電源として使用できない欠点がある。
【０００５】
この欠点は、補助電源装置に、補助バッテリの出力電圧をコントロールする回路を内蔵して解消できる。しかしながら、直流の電圧を変化させるには、複雑な回路構成のＤＣ／ＤＣコンバータを使用する必要があり、製造コストが著しく高価になる欠点がある。
【０００６】
また、補助バッテリで内蔵電池パックを充電すると、補助バッテリの放電電力の１００％で内蔵電池パックを充電できず、補助バッテリの使用効率が悪くなる。
【０００７】
さらに、携帯電話機の外部充電端子は、一緒に信号端子を設けている。このため、信号端子にモデム等の外部機器を接続すると、外部充電端子に補助電源装置を接続できなくなる欠点もある。
【０００８】
さらにまた、外部充電端子は携帯電話機の下端部に設けているので、落下による損傷を受けやすく、また水濡れにより接点が汚れて接触不良を起こしやすくなる欠点もある。
【０００９】
本発明は、従来のこのような欠点を解決することを目的に開発されたものである。本発明の重要な目的は、簡単な回路構成としながら、外部に接続するバッテリの電力を効率よく携帯電話機に供給でき、さらに内蔵電池パックに悪い影響を与えることなく使用時間を延長できる携帯電話機、携帯電話機用の内蔵電池パック及び携帯電話機用の補助電源を提供することにある。
【００１０】
また、本発明の他の大切な目的は、モデム等の外部機器を使用しながら、補助バッテリで電力を供給でき、さらに携帯電話機の外部充電端子が汚れる等で接触不良を起こしやすい状態となっても、補助電源から安定して電力を供給できる携帯電話機、携帯電話機用の内蔵電池パック及び携帯電話機用の補助電源を提供することにある。
【課題を解決するための手段】
【００１１】
本発明の請求項１の携帯電話機は、電話機本体１０と、この電話機本体１０に脱着できるように装着されて電話機本体１０に電力を供給する内蔵バッテリ２１を有する内蔵電池パック２０とを備える。内蔵電池パック２０は、電話機本体１０の電源端子１４に電気接続される出力端子２２に加えて、ケース２７の外部に表出してサブ接続端子２３を備える。このサブ接続端子２３は、外部から供給される電力で内蔵バッテリ２１を充電することなく出力端子２２に供給する非充電回路を介して出力端子２２に接続している。この携帯電話機は、サブ接続端子２３に供給される電力を、非充電回路と出力端子２２を介して電話機本体１０に電力を供給する。
【００１２】
本発明の請求項２の携帯電話機は、電話機本体１０と、この電話機本体１０に脱着できるように装着されて電話機本体１０に電力を供給する内蔵バッテリ２１を備える内蔵電池パック２０と、電話機本体１０に電力を供給する補助バッテリ３１を内蔵する補助電源３０とを備える。内蔵電池パック２０は、電話機本体１０の電源端子１４に電気接続される出力端子２２に加えて、ケース２７の外部に表出するサブ接続端子２３を備える。このサブ接続端子２３は、補助電源３０から供給される電力で内蔵バッテリ２１を充電することなく出力端子２２に供給する非充電回路を介して出力端子２２に接続している。補助電源３０は、内蔵電池パック２０のサブ接続端子２３に脱着できるように接続されるコネクター３４を備える。携帯電話機は、補助電源３０をコネクター３４とサブ接続端子２３を介して内蔵電池パック２０に接続して、補助電源３０の補助バッテリ３１が内蔵電池パック２０のサブ接続端子２３と非充電回路と出力端子２２を介して、内蔵バッテリ２１を充電することなく電話機本体１０に電力を供給する。
【００１３】
本発明の携帯電話機は、非充電回路が、内蔵バッテリ２１を出力端子２２に接続している第１ダイオード２６Ａと、サブ接続端子２３を出力端子２２に接続している第２ダイオード２６Ｂとを備えることができる。第１ダイオード２６Ａは内蔵バッテリ２１から出力端子２２に電力を供給できる方向に接続され、第２ダイオード２６Ｂはサブ接続端子２３から出力端子２２に電力を供給できる方向に接続される。この携帯電話機は、内蔵バッテリ２１とサブ接続端子２３から供給される電力がダイオード２６を介して電話機本体１０に供給される。
【００１４】
本発明の携帯電話機は、電話機本体１０が内蔵電池パック２０を充電する外部充電端子１２を備え、補助電源３０が二次電池の補助バッテリ３１の充電をコントロールする充電制御回路３３を備えることができる。充電制御回路３３は、コネクター３４とサブ接続端子２３を介して内蔵電池パック２０に接続され、さらに内蔵電池パック２０の出力端子２２と電話機本体１０の電源端子１４とを介して外部充電端子１２に接続され、外部充電端子１２に接続される外部電源を介して補助電源３０の二次電池を充電する。さらに、本発明の携帯電話機は、内蔵電池パック２０が、内蔵バッテリ２１と補助バッテリ３１の充電を切り換えるコントロール回路２４を内蔵することができる。
【００１５】
本発明の請求項６の携帯電話機は、電話機本体１０と、この電話機本体１０に脱着できるように装着されて電話機本体１０に電力を供給する内蔵バッテリ２１を有する内蔵電池パック２０とを備える。電話機本体１０は、ケース１１の外部に表出して、外部から電話機本体１０に電力を供給するサブ電源端子１９を備える。内蔵電池パック２０または電話機本体１０は、サブ電源端子１９から電話機本体１０に供給される電力で内蔵バッテリ２１が充電されるのを阻止する非充電回路を備えている。この携帯電話機は、サブ電源端子１９に電力を供給し、この電力で内蔵バッテリ２１を充電することなく電話機本体１０に電力を供給する。
【００１６】
本発明の請求項７の携帯電話機は、電話機本体１０と、この電話機本体１０に脱着できるように装着されて電話機本体１０に電力を供給する内蔵バッテリ２１を備える内蔵電池パック２０と、電話機本体１０に電力を供給する補助バッテリ３１を内蔵する補助電源３０とを備える。電話機本体１０は、ケース１１の外部に表出して、補助電源３０から電話機本体１０に電力を供給するサブ電源端子１９を備えている。内蔵電池パック２０または電話機本体１０は、サブ電源端子１９から電話機本体１０に供給される電力で内蔵バッテリ２１が充電されるのを阻止する非充電回路を備えている。補助電源３０は、電話機本体１０のサブ電源端子１９に脱着できるように接続されるコネクター３４を備える。携帯電話機は、補助電源３０をコネクター３４とサブ電源端子１９を介して電話機本体１０に接続して、補助電源３０の補助バッテリ３１が内蔵バッテリ２１を充電することなく電話機本体１０に電力を供給する。
【００１７】
本発明の携帯電話機は、非充電回路が、内蔵バッテリ２１を出力端子２２に接続している第１ダイオード２６Ａと、補助バッテリ３１をサブ出力端子３６に接続している第２ダイオード２６Ｂとを備えることができる。第１ダイオード２６Ａは内蔵バッテリ２１から出力端子２２に電力を供給できる方向に接続され、第２ダイオード２６Ｂは補助バッテリ３１からサブ出力端子３６に電力を供給できる方向に接続される。この携帯電話は、内蔵バッテリ２１から供給される電力が第１ダイオード２６Ａを介して電話機本体１０に供給され、補助バッテリ３１から供給される電力が第２ダイオード２６Ｂを介して電話機本体１０に供給される。
【００１８】
本発明の携帯電話機は、電話機本体１０が、内蔵電池パック２０を充電する外部充電端子１２を備え、補助電源３０が、二次電池の補助バッテリ３１を充電するサブ充電端子３７と、二次電池の補助バッテリ３１の充電をコントロールする充電制御回路３３を備えることができる。充電制御回路３３は、サブ充電端子３７に接続される外部電源を介して補助電源３０の二次電池を充電する。
【００１９】
さらに、本発明の携帯電話機は、電話機本体１０が、内蔵電池パック２０を充電する外部充電端子１２を備えると共に、補助電源３０が、二次電池の補助バッテリ３１を充電するサブ充電端子３７を備え、サブ充電端子３７に接続される外部電源内に備えられた充電制御回路５３を介して補助電源３０の補助バッテリ３１の充電をコントロールすることができる。
【００２０】
さらに、本発明の携帯電話機は、補助電源３０を、係止フック３５を介して電話機本体１０の背面に脱着できるように連結することができる。
【００２１】
本発明の請求項１２の携帯電話機用の内蔵電池パックは、電話機本体１０に脱着できるように装着される内蔵電池パックであって、電話機本体１０に電力を供給する内蔵バッテリ２１を備える。内蔵電池パックは、電話機本体１０の電源端子１４に電気接続される出力端子２２に加えて、ケース２７の外部に表出するサブ接続端子２３を備えている。このサブ接続端子２３は、外部から供給される電力で内蔵バッテリ２１を充電することなく出力端子２２に供給する非充電回路を介して出力端子２２に接続している。内蔵電池パックは、サブ接続端子２３に外部から供給される電力を、非充電回路と出力端子２２を介して電話機本体１０に供給する。
【００２２】
本発明の請求項１３の携帯電話機用の補助電源は、電話機本体１０の背面に装着されて電話機本体１０に電力を供給する内蔵電池パック２０に脱着できるように装着されて、電話機本体１０に電力を供給する。補助電源は、電話機本体１０に電力を供給する補助バッテリ３１を備える。さらに、補助電源は、内蔵電池パック２０の背面に設けているサブ接続端子２３に機械的及び電気的に接続されるコネクター３４を備える。この補助電源は、コネクター３４をサブ接続端子２３に接続して、内蔵電池パック２０を介して補助バッテリ３１から電話機本体１０に電力を供給する。
【００２３】
本発明の請求項１５の携帯電話機用の補助電源は、背面に装着している内蔵電池パック２０から電力が供給される電話機本体１０に脱着できるように装着されて、電話機本体１０に電力を供給する。補助電源は、電話機本体１０に電力を供給する補助バッテリ３１を備える。さらに、補助電源は、電話機本体１０の背面に設けているサブ電源端子１９に機械的及び電気的に接続されるコネクター３４を備える。この補助電源は、コネクター３４をサブ電源端子１９に接続して、補助バッテリ３１から電話機本体１０に電力を供給する。
【発明の効果】
【００２４】
本発明の請求項１と請求項２の携帯電話機は、簡単な回路構成としながら、外部に接続するバッテリの電力を効率よく携帯電話機に供給でき、さらに内蔵電池パックに悪い影響を与えることなく使用時間を延長できる特徴がある。それは、これらの携帯電話機が、内蔵電池パックに、電話機本体に電気接続する出力端子と、ケースの外部に表出するサブ接続端子を備え、このサブ接続端子は外部から供給される電力で内蔵バッテリを充電することなく出力端子に供給する非充電回路を介して出力端子に接続しているからである。この携帯電話機は、内蔵バッテリから電話機本体に電力を供給し、サブ接続端子に補助電源等を接続する状態としながら、電話機本体の外部充電端子にＡＣアダプタ等を接続して使用することもできる。この構造の携帯電話機は、サブ接続端子から供給される電力を、内蔵バッテリの充電に使用せずに電話機本体に供給する。このため、サブ接続端子から供給される電力を効率よく使用して電話機本体を動作でき、また、サブ接続端子から入力される電圧や電流を内蔵バッテリの充電に適した電圧や電流にコントロールする必要がなく、内蔵バッテリを保護しながら、電話機本体に効率よく電力を供給できる。
【００２５】
また、この携帯電話機は、電話機本体に、外部充電端子とサブ接続端子の両方から別回路として電力を供給できるので、外部充電端子のみから入力される従来の携帯電話機に比較すると、電力供給の自由度が高く、また、サブ接続端子から入力される電力では内蔵バッテリを充電しないので、外部充電端子とサブ接続端子の両方から入力される電力を効率よく使用できる特徴がある。
【００２６】
とくに、本発明の請求項４の携帯電話機は、電話機本体に設けた外部充電端子と、内蔵電池パックに設けたサブ接続端子からなる複数の入力端子を備えるので、外部充電端子にモデム等の外部機器を接続してこれを使用しながら、サブ接続端子からも電力を供給することができる。また、外部充電端子とサブ接続端子からなる複数の端子を備えるために、携帯電話機の外部充電端子が汚れる等で接触不良を起こしやすい状態となっても、サブ接続端子に補助電源等を接続して、ここから安定して電力を供給できる特徴がある。
【００２７】
また、本発明の請求項３の携帯電話機は、非充電回路をダイオードで構成するので簡単な回路構成としながら、サブ接続端子に接続されて外部から供給される電力で内蔵バッテリを充電するのを防止しながら、内蔵バッテリと外部に接続されるバッテリとで効率よく電話機本体に電力を供給できる特徴がある。
【００２８】
また、本発明の請求項４の携帯電話機は、補助電源に内蔵する二次電池である補助バッテリの充電をコントロールする充電制御回路を設けて、この充電制御回路を、コネクターとサブ接続端子を介して内蔵電池パックに接続し、さらに内蔵電池パックの出力端子と電話機本体の電源端子とを介して外部充電端子に接続し、外部充電端子に接続される外部電源でもって、補助電源の二次電池を充電するようにしているので、外部電源を補助バッテリの充電電源に併用しながら、補助バッテリの二次電池を理想的な状態で充電できる特徴がある。
【００２９】
さらにまた、本発明の請求項５の携帯電話機は、内蔵電池パックに、内蔵バッテリとサブ接続端子に接続される補助バッテリの充電を切り換えるコントロール回路を内蔵しているので、外部充電端子から入力される電力で、内蔵バッテリと補助バッテリの両方を充電できる。また、内蔵バッテリと補助バッテリを切り換えて充電するので、外部からの供給電力を内蔵バッテリのみを充電できる小電力としながら、補助バッテリも充電できる。
【００３０】
本発明の請求項６と請求項７の携帯電話機は、簡単な回路構成としながら、外部に接続するバッテリの電力を効率よく携帯電話機に供給でき、さらに内蔵電池パックに悪い影響を与えることなく使用時間を延長できる特徴がある。それは、これらの携帯電話機が、電話機本体に、ケースの外部に表出するサブ電源端子を備えると共に、内蔵電池パックまたは電話機本体に、このサブ電源端子から供給される電力で内蔵バッテリが充電されるのを阻止する非充電回路を備えており、サブ電源端子から供給される電力で内蔵バッテリを充電することなく電話機本体に電力を供給しているからである。この携帯電話機は、内蔵バッテリから電話機本体に電力を供給し、サブ電源端子に補助電源等を接続する状態としながら、電話機本体の外部充電端子にＡＣアダプタ等を接続して使用することもできる。この構造の携帯電話機は、サブ電源端子から供給される電力を、内蔵バッテリの充電に使用せずに電話機本体に供給する。このため、サブ電源端子から供給される電力を効率よく使用して電話機本体を動作でき、また、サブ電源端子から入力される電圧や電流を内蔵バッテリの充電に適した電圧や電流にコントロールする必要がなく、内蔵バッテリを保護しながら、電話機本体に効率よく電力を供給できる。
【００３１】
また、この携帯電話機は、電話機本体に、外部充電端子とサブ電源端子の両方から別回路として電力を供給できるので、外部充電端子のみから入力される従来の携帯電話機に比較すると、電力供給の自由度が高く、また、サブ電源端子から入力される電力では内蔵バッテリを充電しないので、外部充電端子とサブ電源端子の両方から入力される電力を効率よく使用できる特徴がある。
【００３２】
とくに、本発明の請求項９と請求項１０の携帯電話機は、電話機本体が、外部充電端子とサブ電源端子からなる複数の入力端子を備えるので、外部充電端子にモデム等の外部機器を接続してこれを使用しながら、サブ電源端子からも電力を供給することができる。また、外部充電端子とサブ電源端子からなる複数の端子を備えるために、携帯電話機の外部充電端子が汚れる等で接触不良を起こしやすい状態となっても、サブ電源端子に補助電源等を接続して、ここから安定して電力を供給できる特徴がある。
【００３３】
また、本発明の請求項８の携帯電話機は、非充電回路をダイオードで構成するので簡単な回路構成としながら、サブ電源端子に接続されて外部から供給される電力で内蔵バッテリを充電するのを防止しながら、内蔵バッテリと外部に接続されるバッテリとで効率よく電話機本体に電力を供給できる特徴がある。
【００３４】
また、本発明の請求項９の携帯電話機は、補助電源に内蔵する二次電池である補助バッテリを充電するサブ充電端子と、補助バッテリの充電をコントロールする充電制御回路とを備え、この充電制御回路を、サブ充電端子を介して外部電源に接続して、補助電源の二次電池を充電するようにしているので、外部電源を補助バッテリの充電に最適な構造として、補助バッテリの二次電池を理想的な状態で充電できる特徴がある。
【００３５】
また、本発明の請求項１０の携帯電話機は、補助電源に内蔵する二次電池である補助バッテリを充電するサブ充電端子を備え、このサブ充電端子に接続される外部電源内に備えられた充電制御回路を介して補助電源の補助バッテリの充電をコントロールするようにしているので、補助電源の構造を簡単にして、補助バッテリを理想的に内蔵できる特長がある。
【００３６】
さらにまた、本発明の請求項１１の携帯電話機は、係止フックを介して補助電源を電話機本体の背面に脱着できるように連結するので、補助電源にセットされる電話機本体を外れないように定位置に配置できる特長がある。
【００３７】
さらに、本発明の請求項１３と請求項１４の携帯電話機用の補助電源は、補助電源を電話機本体の背面に直接に、機械的及び電気的に連結できるので、従来の携帯電話機の下端部に設けられている充電端子に接続する補助電源に比べて、落下による損傷や、水濡れにより接点が汚れて接触不良が生じるのを低減できる。さらに、従来の携帯電話機のように、内蔵バッテリ上にマジックテープ（登録商標）などの保持部材を使用する必要がなく、補助電源を見栄えよく携帯電話機に配置できる。また、携帯電話機の下部の充電端子を塞ぐことがないため、この端子にモデム等の外部機器を接続でき、携帯電話の利便性もより一層向上することが可能である。
【発明を実施するための最良の形態】
【００３８】
以下、本発明の実施例を図面に基づいて説明する。ただし、以下に示す実施例は、本発明の技術思想を具体化するための携帯電話機、携帯電話機用の内蔵電池パック及び携帯電話機用の補助電源を例示するものであって、本発明は携帯電話機、内蔵電池パック及び補助電源を以下のものに特定しない。
【００３９】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００４０】
図１ないし図５に示す携帯電話機は、電話機本体１０と、この電話機本体１０に脱着できるように装着されて電話機本体１０に電力を供給する内蔵電池パック２０と、電話機本体１０に電力を供給する補助電源３０とを備える。
【００４１】
電話機本体１０は、無線の電話機として使用できるように、受信回路、送信回路、信号処理回路等を内蔵している。この電話機本体１０は、ケース１１の下端に外部充電端子１２を設けている。外部充電端子１２は、マイナス側とプラス側の端子からなる２端子である。外部充電端子１２は、コネクタを介して外部電源であるＡＣアダプタ４０に接続される。さらに、電話機本体１０は、図６の回路図に示すように、内蔵電池パック２０の充電をコントロールする充電制御回路１３を内蔵する。充電制御回路１３は、外部充電端子１２と内蔵電池パック２０との間に接続されて、ＡＣアダプタ４０から入力される電力をコントロールして内蔵電池パック２０に供給する。この充電制御回路１３は、内蔵電池パック２０に内蔵される内蔵バッテリ２１であるリチウムイオン二次電池の充電電圧と充電電流をコントロールして、内蔵電池パック２０を満充電する。充電制御回路１３は、内蔵電池パック２０を所定の電圧まで定電流充電した後、定電圧充電して満充電する。内蔵電池パック２０が満充電されると、充電電流を遮断して充電を停止させる。外部充電端子１２には、ＡＣアダプタ４０から電力が供給される。ＡＣアダプタ４０は、商用電源の交流１００Ｖを、内蔵電池パック２０を満充電できる電圧、たとえば５．５Ｖの直流に変換して出力する。さらに、電話機本体１０は、外部充電端子１２に隣接して、外部機器に接続する信号端子（図示せず）と、外部アンテナに接続するアンテナ端子（図示せず）を設けている。
【００４２】
電話機本体１０は、図６の回路図に示すように、内蔵電池パック２０に接続する電源端子１４を備える。電源端子１４はマイナス端子１４Ｃと、ふたつのプラス端子からなる。第１のプラス端子１４Ａは、内蔵電池パック２０を介して補助電源３０に接続される端子で、プラス側の外部充電端子１２に接続している。第２のプラス端子１４Ｂは、内蔵電池パック２０のプラス側に接続されるもので、電話機本体１０の電源ライン１５と充電制御回路１３の出力側に接続している。
【００４３】
内蔵電池パック２０は、電話機本体１０の電源端子１４に電気接続される出力端子２２と、補助電源３０を接続するサブ接続端子２３とを備える。出力端子２２は、電話機本体１０の内部で電源端子１４に接続される。出力端子２２は３端子で、マイナス側の端子と、ふたつのプラス側の端子からなる。サブ接続端子２３は外部の補助電源３０を接続するので、ケース２７の外部に表出して設けている。
【００４４】
さらに、内蔵電池パック２０は、二次電池の内蔵バッテリ２１と、内蔵バッテリ２１と補助電源３０とを切り換えて電話機本体１０に電力を供給するためのコントロール回路２４と、このコントロール回路２４にオンオフに制御されるスイッチ２５と、ダイオード２６とを備える。
【００４５】
内蔵バッテリ２１はリチウムイオン二次電池である。リチウムイオン二次電池は軽くて大容量にできるので、携帯電話機に適している。ただ、本発明は内蔵電池パックの二次電池をリチウムイオン二次電池に特定するものではなく、二次電池には、これから開発される軽くて大容量の電池も使用できる。
【００４６】
コントロール回路２４は、スイッチ２５をオンオフに切り換えて、ＡＣアダプタ４０から入力される電力で充電される電池を、内蔵バッテリ２１と補助バッテリ３１に切り換える。コントロール回路２４は、ＡＣアダプタ４０を接続する状態で、内蔵バッテリ２１と補助バッテリ３１を同時には充電しない。内蔵バッテリ２１と補助バッテリ３１のいずれか一方を切り換えて充電する。このように、何れか一方の電池を切り換えて充電する携帯電話機は、ＡＣアダプタ４０の出力を小さくできる。
【００４７】
コントロール回路２４は、内蔵バッテリ２１が満充電され、あるいはほぼ満充電された後、充電する電池を内蔵バッテリ２１から補助バッテリ３１に切り換える。コントロール回路２４は、内蔵バッテリ２１の満充電を検出してスイッチ２５をオンオフに切り換える。スイッチ２５は、第１スイッチ２５Ａと第２スイッチ２５Ｂと第３スイッチ２５Ｃとからなる。第１スイッチ２５Ａは、内蔵バッテリ２１のプラス側と出力端子２２との間に接続される。この第１スイッチ２５Ａは、オンの状態でＡＣアダプタ４０で内蔵バッテリ２１を充電する。第２スイッチ２５Ｂと第３スイッチ２５Ｃは、サブ接続端子２３と出力端子２２との間に接続される。第２スイッチ２５Ｂは、補助電源３０の充電制御回路３３と電話機本体１０の外部充電端子１２に接続される。第３スイッチ２５Ｃは補助バッテリ３１と電話機本体１０の電源ライン１５に接続される。第２スイッチ２５Ｂをオン、第３スイッチ２５Ｃをオフにする状態で、ＡＣアダプタ４０は補助バッテリ３１を充電する。第１スイッチ２５Ａと第２スイッチ２５Ｂは同時にオンには切り換えられない。いずれか一方をオンに切り換えるとき、他方のスイッチはオフに切り換えられる。したがって、ＡＣアダプタ４０から入力される電力は、内蔵バッテリ２１と補助バッテリ３１のいずれか一方に供給されて、一方の電池を充電する。第３スイッチ２５Ｃは、第２スイッチ２５Ｂをオンにして補助バッテリ３１を充電するときにオフに切り換えられ、第２スイッチ２５Ｂをオフにして補助バッテリ３１が電話機本体１０に電力を供給するときにオンに切り換えられる。
【００４８】
コントロール回路２４は、内蔵バッテリ２１を充電するときに、第１スイッチ２５Ａをオンとして第２スイッチ２５Ｂをオフ、第３スイッチ２５Ｃをオンとする。内蔵バッテリ２１が満充電されて補助バッテリ３１を充電するときは、第１スイッチ２５Ａをオフにして、第２スイッチ２５Ｂをオン、第３スイッチ２５Ｃをオフに切り換える。
【００４９】
さらに、内蔵電池パック２０は、サブ接続端子２３から供給される電力で内蔵バッテリ２１を充電することなく出力端子２２に供給する非充電回路を備える。図の内蔵電池パック２０は、補助バッテリ３１が内蔵バッテリ２１を充電しないように、非充電回路として第１ダイオード２６Ａと第２ダイオード２６Ｂを接続している。第１ダイオード２６Ａは内蔵バッテリ２１から出力端子２２に電力を供給できる方向に接続され、第２ダイオード２６Ｂは補助バッテリ３１から出力端子２２に電力を供給できる方向に接続される。内蔵バッテリ２１と補助バッテリ３１は、ダイオード２６を介して電話機本体１０に電力を供給する。内蔵バッテリ２１と補助バッテリ３１は、ダイオード２６を介して並列に接続されて、電話機本体１０に電力を供給する。ただ、ダイオード２６は、バッテリから電話機本体１０に向かっては電流を流すが、その反対には電流を流さない。したがって、補助バッテリ３１が内蔵バッテリ２１を充電する充電電流と、内蔵バッテリ２１が補助バッテリ３１を充電する充電電流を遮断する。したがって、内蔵バッテリ２１と補助バッテリ３１とに電圧差があっても、高電圧のバッテリが低電圧のバッテリを充電することはない。第１ダイオード２６Ａは、内蔵バッテリ２１から負荷である電話機本体１０には電力を供給するが、補助バッテリ３１からの充電電流を遮断する。第２ダイオード２６Ｂは、補助バッテリ３１から電話機本体１０には電力を供給するが、内蔵バッテリ２１からの充電電流を遮断する。
【００５０】
図の携帯電話機は、第１ダイオード２６Ａを第１スイッチ２５Ａと並列に接続して、第２ダイオード２６Ｂを第３スイッチ２５Ｃと直列に接続している。第１スイッチ２５Ａは、ＡＣアダプタ４０で内蔵バッテリ２１を充電するときにオンに制御され、かつ、第３スイッチ２５Ｃがオフに制御される。したがって、第１スイッチ２５Ａをオンにする状態では、補助バッテリ３１が内蔵バッテリ２１を充電することはない。
【００５１】
内蔵電池パック２０は、補助電源３０を接続する４端子のサブ接続端子２３を備える。サブ接続端子２３は、図５の底面図に示すように、内蔵電池パック２０のケース２７の外部に表出して設けられる。サブ接続端子２３は、補助電源３０から供給される電力を電話機本体１０に供給する。したがって、サブ接続端子２３は、内蔵電池パック２０の内部でスイッチ２５やダイオード２６を介して出力端子２２に接続している。サブ接続端子２３は、内蔵電池パック２０のケース２７から外部に表出して設けられるが、ケース２７の表面からは突出しない。したがって、ケース２７にコネクター３４を挿入する凹部２８を設け、この凹部２８内にサブ接続端子２３の接点を配設している。
【００５２】
図７と図８は、サブ接続端子を設けた部分の拡大断面図である。図７と図８の携帯電話機は、電話機本体１０の背面に内蔵電池パック２０の収納部１６を設けている。図７の内蔵電池パック２０は、収納部１６の開口部を閉塞する蓋２９をケース２７と一体構造として設けている。この内蔵電池パック２０は、背面にサブ接続端子２３を設けている。図８に示す収納部１６は、内蔵電池パック２０を収納して、その開口部を内蔵電池パック２０と分離された別パーツの脱着蓋１７で閉塞している。この構造は、内蔵電池パック２０のサブ接続端子２３を外部に表出するために脱着蓋１７に貫通孔１７Ａを設けている。
【００５３】
電話機本体１０の収納部１６は、内面に電源端子１４を設けている。内蔵電池パック２０は、電源端子１４に接続される出力端子２２を設けている。出力端子２２は、内蔵電池パック２０を電話機本体１０の収納部１６に装着して、電源端子１４に接触して電気接続される位置に設けられる。図７と図８の内蔵電池パック２０は、サブ接続端子２３を電話機本体１０の背面側に設けて、出力端子２２を電話機本体１０の前面側に設けている。したがって、電源端子１４は、収納部１６の底面に、出力端子２２に向かって弾性的に突出するように設けている。
【００５４】
４端子のサブ接続端子２３は、マイナス端子２３Ｃと、内蔵バッテリ２１のコントロール回路２４を補助電源３０の充電制御回路３３に接続する信号端子２３Ｄと、充電制御回路３３に接続されて、ＡＣアダプタ４０からの電力を補助電源３０に供給する第２のプラス端子２３Ｂと、補助バッテリ３１のプラス側に接続されて、補助バッテリ３１の充電電力を電話機本体１０の電源ライン１５に供給する第１のプラス端子２３Ａとからなる。
【００５５】
補助電源３０は、ケース３２内に補助バッテリ３１を内蔵すると共に、ケース３２の上面に突出して、内蔵電池パック２０のサブ接続端子２３に脱着できるように接続されるコネクター３４を固定している。このコネクター３４は、サブ接続端子２３に、機械的及び電気的に接続される構造としている。補助電源３０は、図６の回路図に示すように、内蔵電池パック２０のサブ接続端子２３に電気接続される４端子のサブ出力端子３６を備えており、このサブ出力端子３６の接点をコネクター３４に配設している。
【００５６】
さらに、図２と図３の補助電源３０は、装着された電話機本体１０を定位置に係止する係止フック３５を設けている。この補助電源３０は、上面にセットされる電話機本体１０を外れないように定位置に配置できる。
【００５７】
図の補助電源３０は、その幅を電話機本体１０の幅にほぼ等しく、長さを折り畳みした電話機本体１０の長さにほぼ等しくしている。この補助電源３０は、かさばらないように電話機本体１０に連結できる。
【００５８】
補助電源３０に電話機本体１０がセットされると、補助電源３０は、コネクター３４とサブ接続端子２３を介して内蔵電池パック２０に接続される。内蔵電池パック２０は、サブ接続端子２３と電源端子１４を介して電話機本体１０に接続しているので、補助電源３０の電力は、内蔵電池パック２０を介して電話機本体１０に供給される。
【００５９】
さらに、図６の補助電源３０は、補助バッテリ３１を充電するための充電制御回路３３を内蔵している。この充電制御回路３３は、ＡＣアダプタ４０から供給される電力の電圧と電流をコントロールして、補助バッテリ３１を満充電する。補助バッテリ３１は単三タイプの二次電池である。この二次電池は、ニッケル水素電池又はニッケルカドミウム電池である。二次電池の本数は、補助バッテリ３１の電圧が内蔵バッテリ２１の電圧にほぼ等しく、あるいは多少は高くなるようにする。内蔵バッテリ２１をリチウムイオン二次電池とし、補助バッテリ３１の二次電池をニッケル水素電池やニッケルカドミウム電池とする場合、二次電池の本数は３本とする。ニッケル水素電池やニッケルカドミウム電池の定格電圧は１．２Ｖであるから、３本を直列接続して出力電圧を３．６Ｖとする。ただし、補助バッテリに使用する二次電池の本数は、内蔵バッテリのタイプや個数で最適な数に調整される。また、補助バッテリの二次電池には、リチウムイオン二次電池も使用できる。
【００６０】
補助電源３０の充電制御回路３３は、ニッケル水素電池やニッケルカドミウム電池を定電流充電して満充電する。補助バッテリ３１の電圧がピーク電圧に上昇し、あるいはピーク電圧からのΔＶ電圧降下すると満充電として、充電を停止する。充電制御回路３３で補助バッテリ３１を充電するかどうかの信号は、コントロール回路２４から入力される。また、補助バッテリ３１を充電しているかどうかの信号を、充電制御回路３３からコントロール回路２４に伝送することもできる。
【００６１】
以上の携帯電話機は、電話機本体１０の外部充電端子１２に接続される外部電源を介して補助電源３０の補助バッテリ３１を充電する構造としている。この構造の携帯電話機は、ひとつの外部電源で、内蔵電池パック２０の内蔵バッテリ２１と、補助電源３０の補助バッテリ３１の両方を充電できる特長がある。ただ、本発明の携帯電話機は、図９に示すように、補助電源３０の補助バッテリ３１を専用の外部電源で充電することもできる。
【００６２】
図９に示す補助電源３０は、補助バッテリ３１を充電する外部電源であるＡＣアダプタ５０を接続するためのサブ充電端子３７を備える。サブ充電端子３７は、マイナス側とプラス側の端子からなる２端子である。サブ充電端子３７は、コネクタを介してＡＣアダプタ５０に接続される。サブ充電端子３７には、ＡＣアダプタ５０から電力が供給される。ＡＣアダプタ５０は、商用電源の交流１００Ｖを、補助バッテリ３１を満充電できる電圧の直流に変換して出力する。ＡＣアダプタ５０から供給される電力は、充電制御回路３３に供給される。この充電制御回路３３は、ＡＣアダプタ５０から供給される電力の電圧と電流をコントロールして、補助バッテリ３１を充電する。
【００６３】
さらに、携帯電話機は、補助バッテリを充電する充電制御回路を外部電源に設けることもできる。図１０に示す携帯電話機は、補助電源３０に充電制御回路を設けることなく、外部電源であるＡＣアダプタ５０に充電制御回路５３を内蔵している。この補助電源３０は、構造を簡単にして、補助バッテリ３１を効率よく内蔵できる。
【００６４】
以上のように、専用の外部電源で補助バッテリ３１を充電する携帯電話機は、内蔵電池パックに、補助バッテリを充電するための回路を必要としないので、内蔵電池パックの回路構成を簡単にしながら補助電源の補助バッテリを充電できる特長がある。さらに、補助電源を充電する専用の外部電源を使用するので、外部電源を補助バッテリの充電に最適な構造として、補助バッテリの二次電池を理想的な状態で充電できる特長もある。
【００６５】
さらに、図１１ないし図１３に示す携帯電話機は、電話機本体１０と、この電話機本体１０に脱着できるように装着されて電話機本体１０に電力を供給する内蔵電池パック２０と、電話機本体１０に脱着できるように装着されて電話機本体１０に電力を供給する補助電源３０とを備える。
【００６６】
電話機本体１０は、ケース１１の外部に表出して、外部から電話機本体１０に電力を供給するサブ電源端子１９を備える。電話機本体１０は、図１２の底面図に示すように、ケース１１の背面に表出して、補助電源３０のコネクター３４を接続するサブ電源端子１９を備える。サブ電源端子１９は、補助電源３０から供給される電力を電話機本体１０に供給する。サブ接続端子２３は、電話機本体１０のケース１１から外部に表出して設けられるが、ケース１１の表面からは突出しない。したがって、ケース１１にコネクター３４を挿入する凹部１８を設け、この凹部１８内にサブ電源端子１９の接点を配設している。サブ電源端子１９は、図１３の回路図に示すように、プラス端子１９Ａとマイナス端子１９Ｂとからなる。プラス端子１９Ａは、補助電源３０の補助バッテリ３１のプラス側に接続される端子で、電話機本体１０の電源ライン１５に接続している。
【００６７】
電話機本体１０は、図１３の回路図に示すように、内蔵電池パック２０の充電をコントロールする充電制御回路１３を内蔵する。充電制御回路１３は、外部充電端子１２と内蔵電池パック２０との間に接続されて、ＡＣアダプタ４０から入力される電力をコントロールして内蔵電池パック２０に供給する。この充電制御回路１３は、内蔵電池パック２０に内蔵される内蔵バッテリ２１であるリチウムイオン二次電池の充電電圧と充電電流をコントロールして、内蔵電池パック２０を満充電する。充電制御回路１３は、内蔵電池パック２０を所定の電圧まで定電流充電した後、定電圧充電して満充電する。内蔵電池パック２０が満充電されると、充電電流を遮断して充電を停止させる。外部充電端子１２には、ＡＣアダプタ４０から電力が供給される。
【００６８】
さらに、図１３に示す電話機本体１０は、内蔵電池パック２０に接続する電源端子１４を備える。電源端子１４は、マイナス端子１４Ｃと、ふたつのプラス端子からなる。第１のプラス端子１４Ａは、内蔵電池パック２０の内蔵バッテリ２１のプラス側に接続される端子で、充電制御回路１３の出力側に接続している。第２のプラス端子１４Ｂは、内蔵電池パック２０の内蔵バッテリ２１から供給される電力を電話機本体１０に供給する端子で、電話機本体１０の電源ライン１５に接続している。
【００６９】
図の電話機本体１０は、電源ライン１５を分岐しており、第１の電源ライン１５Ａを電源端子１４の第２のプラス端子１４Ｂに、第２の電源ライン１５Ｂをサブ電源端子１９のプラス端子１９Ａにそれぞれ接続している。
【００７０】
内蔵電池パック２０は、図１３の回路図に示すように、電話機本体１０に電力を供給する内蔵バッテリ２１を備える。さらに、内蔵電池パック２０は、電話機本体１０の電源端子１４に電気接続される出力端子２２を備える。出力端子２２は、電話機本体１０の内部で電源端子１４に接続される。出力端子２２は３端子で、マイナス側の端子と、ふたつのプラス側の端子からなる。
【００７１】
補助電源３０は、ケース３２内に補助バッテリ３１を内蔵すると共に、ケース３２の上面に突出して、電話機本体１０のサブ電源端子１９に脱着できるように接続されるコネクター３４を固定している。このコネクター３４は、サブ電源端子１９に、機械的及び電気的に接続される構造としている。補助電源３０は、図１３の回路図に示すように、電話機本体１０のサブ電源端子１９に電気接続されるサブ出力端子３６を備えており、このサブ出力端子３６の接点をコネクター３４に配設している。
【００７２】
補助電源３０に内蔵される補助バッテリ３１は、専用の外部電源で充電される。図１１の補助電源３０は、補助バッテリ３１を充電する外部電源を接続するためのサブ充電端子３７をケース３２の側面に設けている。サブ充電端子３７は、図１３に示すように、マイナス側とプラス側の端子からなる２端子である。サブ充電端子３７は、コネクタを介してＡＣアダプタ５０に接続される。サブ充電端子３７には、ＡＣアダプタ５０から電力が供給される。ＡＣアダプタ５０は、商用電源の交流１００Ｖを、補助バッテリ３１を満充電できる電圧の直流に変換して出力する。
【００７３】
さらに、図１３の補助電源３０は、補助バッテリ３１を充電するための充電制御回路３３を内蔵している。この充電制御回路３３は、ＡＣアダプタ５０から供給される電力の電圧と電流をコントロールして、補助バッテリ３１を満充電する。補助バッテリ３１は単三タイプの二次電池である。この二次電池は、ニッケル水素電池又はニッケルカドミウム電池である。二次電池の本数は、補助バッテリ３１の電圧が内蔵バッテリ２１の電圧にほぼ等しく、あるいは多少は高くなるようにする。内蔵バッテリ２１をリチウムイオン二次電池とし、補助バッテリ３１の二次電池をニッケル水素電池やニッケルカドミウム電池とする場合、二次電池の本数は３本とする。ニッケル水素電池やニッケルカドミウム電池の定格電圧は１．２Ｖであるから、３本を直列接続して出力電圧を３．６Ｖとする。ただし、補助バッテリに使用する二次電池の本数は、内蔵バッテリのタイプや個数で最適な数に調整される。また、補助バッテリの二次電池には、リチウムイオン二次電池も使用できる。補助電源３０の充電制御回路３３は、ニッケル水素電池やニッケルカドミウム電池を定電流充電して満充電する。補助バッテリ３１の電圧がピーク電圧に上昇し、あるいはピーク電圧からのΔＶ電圧降下すると満充電として、充電を停止する。
【００７４】
ただ、携帯電話機は、補助バッテリを充電する充電制御回路を外部電源に設けることもできる。図１４に示す携帯電話機は、補助電源３０に充電制御回路を設けることなく、外部電源であるＡＣアダプタ５０に充電制御回路５３を内蔵している。この補助電源３０は、構造を簡単にして、補助バッテリ３１を効率よく内蔵できる。
【００７５】
さらに、図１１の補助電源３０は、装着された電話機本体１０を定位置に係止する係止フック３５を設けている。この補助電源３０は、上面にセットされる電話機本体１０を外れないように定位置に配置できる。補助電源３０に電話機本体１０がセットされると、補助電源３０がコネクター３４とサブ電源端子１９を介して電話機本体１０に接続されて、補助バッテリ３１の電力が電話機本体１０に供給される。
【００７６】
さらに、図１３に示す携帯電話機は、サブ電源端子１９から電話機本体１０に供給される電力で内蔵バッテリ２１が充電されるのを阻止する非充電回路を備える。図の携帯電話機は、補助電源３０の補助バッテリ３１が内蔵バッテリ２１を充電しないように、非充電回路としてダイオードを接続している。図に示す携帯電話機は、非充電回路として第１ダイオード２６Ａと第２ダイオード２６Ｂを備えている。第１ダイオード２６Ａは、補助電源３０の補助バッテリ３１が内蔵バッテリ２１を充電するのを阻止し、第２ダイオード２６Ｂは、内蔵バッテリ２１が補助電源３０の補助バッテリ３１を充電するのを阻止する。この携帯電話機は、内蔵バッテリ２１が第１ダイオード２６Ａを介して電話機本体１０に電力を供給し、補助バッテリ３１が第２ダイオード２６Ｂを介して電話機本体１０に電力を供給する。内蔵バッテリ２１と補助バッテリ３１は、ダイオード２６を介して並列に接続されて、電話機本体１０に電力を供給する。
【００７７】
図１３に示す携帯電話機は、内蔵電池パック２０に第１ダイオード２６Ａを設けている。図の第１ダイオード２６Ａは、内蔵バッテリ２１から第１の電源ライン１５Ａに接続される出力端子２２に電力を供給できる方向に接続している。この第１ダイオード２６Ａは、内蔵バッテリ２１から電話機本体１０に向かっては電流を流すが、その反対には電流を流さない。すなわち、第１ダイオード２６Ａは、補助バッテリ３１が内蔵バッテリ２１を充電する充電電流を遮断する。したがって、内蔵バッテリ２１より補助バッテリ３１が高電圧であっても、高電圧の補助バッテリ３１が低電圧の内蔵バッテリ２１を充電することはない。図の携帯電話機は、内蔵バッテリ２１と出力端子２２との間に第１ダイオード２６Ａを接続しているが、第１ダイオード２６Ａは、図の鎖線で示すように、電話機本体の第１の電源ライン１５Ａに接続することもできる。第１の電源ライン１５Ａに接続される第１ダイオード２６Ａは、電源端子１４から第１の電源ライン１５Ａと第２の電源ライン１５Ｂの接続点に向かって電力を供給できる方向に接続される。
【００７８】
さらに、図１３に示す携帯電話機は、補助電源３０に第２ダイオード２６Ｂを設けている。図の第２ダイオード２６Ｂは、補助バッテリ３１から第２の電源ライン１５Ｂに接続されるサブ電源端子１９に電力を供給できる方向に接続している。この第２ダイオード２６Ｂは、補助バッテリ３１から電話機本体１０に向かっては電流を流すが、その反対には電流を流さない。すなわち、第２ダイオード２６Ｂは、内蔵バッテリ２１が補助バッテリ３１を充電する充電電流を遮断する。したがって、補助バッテリ３１より内蔵バッテリ２１が高電圧であっても、高電圧の内蔵バッテリ２１が低電圧の補助バッテリ３１を充電することはない。図の携帯電話機は、補助バッテリ３１とサブ出力端子３６との間に第２ダイオード２６Ｂを接続しているが、第２ダイオード２６Ｂは図の鎖線で示すように、電話機本体の第２の電源ライン１５Ｂに接続することもできる。第２の電源ライン１５Ｂに接続される第２ダイオード２６Ｂは、サブ電源端子１９から第１の電源ライン１５Ａと第２の電源ライン１５Ｂの接続点に向かって電力を供給できる方向に接続される。
【図面の簡単な説明】
【００７９】
【図１】本発明の一実施例にかかる携帯電話機の斜視図である。
【図２】図１に示す携帯電話機の分解斜視図である。
【図３】図１に示す携帯電話機の側面図である。
【図４】図１に示す携帯電話機の底面図である。
【図５】図２に示す電話機本体の底面図である。
【図６】本発明の一実施例にかかる携帯電話機の回路図である。
【図７】図３に示す携帯電話機のサブ接続端子部分の拡大断面図である。
【図８】本発明の他の実施例にかかる携帯電話機のサブ接続端子部分の拡大
【図９】本発明の他の実施例にかかる携帯電話機の回路図である。
【図１０】本発明の他の実施例にかかる携帯電話機の回路図である。
【図１１】本発明の他の実施例にかかる携帯電話機の分解斜視図である。
【図１２】図１１に示す電話機本体の底面図である。
【図１３】本発明の他の実施例にかかる携帯電話機の回路図である。
【図１４】本発明の他の実施例にかかる携帯電話機の回路図である。
【符号の説明】
【００８０】
１０…電話機本体
１１…ケース
１２…外部充電端子
１３…充電制御回路
１４…電源端子            １４Ａ…第１のプラス端子
１４Ｂ…第２のプラス端子
１４Ｃ…マイナス端子
１５…電源ライン          １５Ａ…第１の電源ライン
１５Ｂ…第２の電源ライン
１６…収納部
１７…脱着蓋              １７Ａ…貫通孔
１８…凹部
１９…サブ電源端子        １９Ａ…プラス端子
１９Ｂ…マイナス端子
２０…内蔵電池パック
２１…内蔵バッテリ
２２…出力端子
２３…サブ接続端子        ２３Ａ…第１のプラス端子
２３Ｂ…第２のプラス端子
２３Ｃ…マイナス端子
２３Ｄ…信号端子
２４…コントロール回路
２５…スイッチ            ２５Ａ…第１スイッチ
２５Ｂ…第２スイッチ
２５Ｃ…第３スイッチ
２６…ダイオード          ２６Ａ…第１ダイオード
２６Ｂ…第２ダイオード
２７…ケース
２８…凹部
２９…蓋
３０…補助電源
３１…補助バッテリ
３２…ケース
３３…充電制御回路
３４…コネクター
３５…係止フック
３６…サブ出力端子
３７…サブ充電端子
４０…ＡＣアダプタ
５０…ＡＣアダプタ
５３…充電制御回路
【図１】
2006340114.tif 000003
【図２】
2006340114.tif 000004
【図３】
2006340114.tif 000005
【図４】
2006340114.tif 000006
【図５】
2006340114.tif 000007
【図６】
2006340114.tif 000008
【図７】
2006340114.tif 000009
【図８】
2006340114.tif 000010
【図９】
2006340114.tif 000011
【図１０】
2006340114.tif 000012
【図１１】
2006340114.tif 000013
【図１２】
2006340114.tif 000014
【図１３】
2006340114.tif 000015
【図１４】
2006340114.tif 000016